(57)【要約】【課題】吐出器を着脱する操作を損なうことなくコストを抑えることができる吐出器用着脱工具を提案する。【解決手段】本発明の吐出器着脱工具は、容器２に吐出器３をねじ付けるとともにその外周面に嵌め合い凸部３ｅを備えるキャップ３ａに取り付けられ、嵌め合い凸部３ｅに適合する嵌め合い凹部１４を嵌め合わせてキャップ３ａとともに回転させて吐出器３を着脱するものであり、嵌め合い凹部１４を、キャップ３ａへの取り付け口となる側部開口１１を有するとともにキャップ３ａの外周面に沿う側壁１０の内周面に設け、側壁１０に、側壁１０の厚みを減じる或いは側壁１０を貫通する肉抜き部１５を設けることを特徴とする。【選択図】図１
2014008982.tif 000002
【特許請求の範囲】
【請求項１】
容器に吐出器をねじ付けるとともにその外周面に嵌め合い凸部を備えるキャップに取り付けられ、該嵌め合い凸部に適合する嵌め合い凹部を嵌め合わせて該キャップとともに回転させて該吐出器を着脱する吐出器用着脱工具であって、
前記嵌め合い凹部を、前記キャップへの取り付け口となる側部開口を有するとともに前記キャップの外周面に沿う側壁の内周面に設け、
前記側壁に、該側壁の厚みを減じる或いは該側壁を貫通する肉抜き部を設けることを特徴とする吐出器用着脱工具。
【請求項２】
前記側壁は、その相互間に前記側部開口を形成する一対の側壁先端部と該側壁先端部同士をつなぐ側壁本体部とからなり、少なくとも側壁先端部に、外側に向けて張り出す補強リブを備える請求項１に記載の吐出器用着脱工具。
【請求項３】
前記補強リブは、前記側壁先端部から前記側壁本体部の背面側に向かって徐々に小さくなる張り出し量を有する請求項２に記載の吐出器用着脱工具。
【請求項４】
前記補強リブを、前記嵌め合い凹部と同一高さに設ける請求項２又は３に記載の吐出器用着脱工具。
【請求項５】
前記側壁先端部の外周面に、少なくとも１本の縦リブを設ける請求項２〜４の何れかに記載の吐出器用着脱工具。
【発明の詳細な説明】
【技術分野】
【０００１】
本発明は、シャンプーやリンス、整髪料等の内容物を吐出させる吐出器を、容器に対して着脱する際に用いる吐出器用着脱工具に関するものである。
【背景技術】
【０００２】
シャンプーやリンス、整髪料等の内容物を収容する容器に装着されてこれらの内容物を吐出させる吐出器としては、例えばポンプ機構を備えるとともにこのポンプ機構を容器の口部にねじ付けて固定するキャップを備えるものがあり、キャップを回転させて吐出器を容器から取り外して、内容物の詰め替えを行い得るように構成されている。
【０００３】
このような吐出器は、簡単に取り外すことができる故に、店頭での陳列やホテル等の施設に据え置かれる際、内容物が入れ替えられたり、抜き取られたりする等の悪戯が想定されることから、本出願人は、こうした不正使用を防止する対策として、容器に対してねじ付け部分にラチェット機構を設けた液体噴出器を提案済みである（例えば特許文献１参照）。
【先行技術文献】
【特許文献】
【０００４】
【特許文献１】特開２００４−３４４８２２号公報
【発明の概要】
【発明が解決しようとする課題】
【０００５】
ところで、市場では低価格の商品が要望されていて、これは、このような不正使用防止機能を備える吐出器の分野でも同様であるところ、吐出器を着脱する操作を損なうことなく価格を一段と抑えた商品が強く求められている。
【０００６】
本発明は、このような問題点を解決することを課題とするものであり、その目的は、不正使用防止機能を備える吐出器に関し、特にこの吐出器を着脱する際に用いる吐出器用着脱工具に着目して、吐出器を着脱する操作を損なうことなくコストは抑えることができる、改良された吐出器用着脱工具を提案するところにある。
【課題を解決するための手段】
【０００７】
本発明は、容器に吐出器をねじ付けるとともにその外周面に嵌め合い凸部を備えるキャップに取り付けられ、該嵌め合い凸部に適合する嵌め合い凹部を嵌め合わせて該キャップとともに回転させて該吐出器を着脱する吐出器用着脱工具であって、
前記嵌め合い凹部を、前記キャップへの取り付け口となる側部開口を有するとともに前記キャップの外周面に沿う側壁の内周面に設け、
前記側壁に、該側壁の厚みを減じる或いは該側壁を貫通する肉抜き部を設けることを特徴とする吐出器用着脱工具である。
【０００８】
前記側壁は、その相互間に前記側部開口を形成する一対の側壁先端部と該側壁先端部同士をつなぐ側壁本体部とからなり、少なくとも側壁先端部に、外側に向けて張り出す補強リブを備えることが好ましい。
【０００９】
前記補強リブは、前記側壁先端部から前記側壁本体部の背面側に向かって徐々に小さくなる張り出し量を有することが好ましい。
【００１０】
前記補強リブを、前記嵌め合い凹部と同一高さに設けることが好ましい。
【００１１】
前記側壁先端部の外周面に、少なくとも１本の縦リブを設けることが好ましい。
【発明の効果】
【００１２】
吐出器用着脱工具の側壁に、側壁の厚みを減じる或いは該側壁を貫通する肉抜き部を設けることで、工具を形成する材料、例えば合成樹脂材の使用量を削減することができるので、材料コストを抑えることが可能となる。
【００１３】
側壁を、その相互間に側部開口を形成する一対の側壁先端部と側壁先端部同士をつなぐ側壁本体部とからなるものとし、少なくとも側壁先端部に、外側に向けて張り出す補強リブを設ける場合は、側部開口が設けられている故に強度が相対的に低くなる側壁先端部に対して、補強リブによって強度を高めることができ、吐出器を着脱する際にこの側壁先端部に力が付与されても、変形等が起きにくくなる。
【００１４】
補強リブが、側壁先端部から側壁本体部の背面側に向かって徐々に小さくなる張り出し量を有する場合は、強度が相対的に低い側壁先端部から、強度が相対的に高い側壁本体部の背面側に向かって、工具全体での強さが揃うように強度を高めることができるので、着脱時の変形等のおそれを効果的に取り除きつつ、材料使用量の無駄を省くことができる。
【００１５】
補強リブを、嵌め合い凹部と同一高さに設ける場合は、嵌め合い凹部と補強リブとが一体連結されてより幅広の補強リブが形成されているとみなすことができるので、これらの高さがずれて設けられている場合と比較して、同一の材料使用量でありながら、より強度を高めることができる。
【００１６】
側壁先端部の外周面に、少なくとも１本の縦リブを設ける場合は、キャップとともにこの工具を回転させるに当たって、この縦リブが、指を掛ける部位を示す目印として機能するとともに滑り止めとして機能し、また、側壁先端部の補強としても機能する。さらに、縦リブを設けた側壁先端部に指を掛けることで、側壁を両側から挟み込めるので、キャップに対して吐出器用着脱工具を強固に締め付けることができ、キャップを着脱する際の回転動作を確実に行うことができる。
【図面の簡単な説明】
【００１７】
【図１】本発明に従う吐出器用着脱工具の実施の形態を示す、（ａ）は平面図であり、（ｂ）は側面図であり、（ｃ）は側面視での断面図である。
【図２】本発明に従う吐出器用着脱工具が使用される吐出器付き容器を、軸線を境に側面図と断面図で示す図である。
【図３】図１に示す吐出器着脱工具を、図２の吐出器付き容器に取り付けた状態を示す側面図と断面図である。
【図４】本発明に従う吐出器着脱工具の他の実施の形態を示す、（ａ）は平面図であり、（ｂ）は側面図であり、（ｃ）は側面視での断面図である。
【発明を実施するための形態】
【００１８】
以下、図面を参照して、本発明をより具体的に説明する。
図１は、本発明に従う吐出器用着脱工具の実施の形態を示す、（ａ）は平面図であり、（ｂ）は側面図であり、（ｃ）は側面視での断面図である。
なお、本明細書にて吐出器用着脱工具の先端側とは、図１（ａ）における側部開口１１を設けた側であり、背面側とは、側部開口１１に対向する側である。
【００１９】
図１（ａ）〜（ｃ）において符号１Ａは、本発明に従う吐出器用着脱工具（以下、「工具」と称す）の一実施形態を示す。本実施形態において工具１Ａは、図１（ａ）に示すように、後述する吐出器のキャップの外周面に沿って設けられる、平面視にて逆Ｃ字状となる側壁１０を備えている。
【００２０】
逆Ｃ字状となる側壁１０の側部開口１１は、工具１Ａをキャップへ取り付ける際の取り付け口として機能する。また、側壁１０は、その相互間に側部開口１１を形成することになる一対の側壁先端部１２と、側壁先端部１２同士をつなぎ平面視にて半円状となる側壁本体部１３とからなる。本実施形態において、側壁先端部１２は、半円状の側壁本体部１３から延長して延びて側部開口１１の開口幅を狭めるように内側に屈曲する屈曲部１２ａを有し、また、この屈曲部１２ａから側部開口１１の開口幅を広げるように延びる傾斜部１２ｂを備えていて、これにより、工具１Ａをキャップへ取り付けやすくするとともに、一旦工具１Ａを取り付けた後は、工具１Ａがキャップから外れにくくなる。
【００２１】
図１（ａ）、（ｃ）における符号１４は、嵌め合い凹部である。本実施形態において、嵌め合い凹部１４は、側壁１０の内周面の下端から内側に向けて突出して板状になっていて、その突出先端部（嵌め合い凹部１４の内側端縁）は、平面視にて正八角形の一部をなす形状となっている。また、嵌め合い凹部１４の側部開口１１側は、上述した傾斜部１２ｂと同様に、側部開口１１の開口幅を広げるように延びる傾斜部１４ａが形成されている。なお、嵌め合い凹部１４は、後述するキャップの嵌め合い凸部に嵌め合わされて、工具１Ａの回転に合わせてキャップを回転させることが可能であればよく、上述した正八角形に基づく形状の他に、三角形や四角形等、他の多角形に基づく形状とすることもできる。
【００２２】
ここで、側壁１０には、側壁１０の厚みを減じる、或いは側壁１０を貫通する肉抜き部１５を設けている。本実施形態において肉抜き部１５は、図１（ａ）〜（ｃ）を参照して明らかなように、側壁本体部１３の周方向の大部分を取り除いた切り欠き形状となっていて、工具１Ａを形成するのに必要な材料の使用量を大きく削減することができる。なお、図示は省略するが、肉抜き部１５は、側壁１０の一部を窪ませた凹形状となるものでもよく、またこの凹形状は、側壁１０の内周面側、外周面側の何れに設けてもよい。
【００２３】
図１（ａ）、（ｂ）における符号１６は、補強リブである。本実施形態において補強リブ１６は、側壁１０の外周面の下端から外側に向けて張り出す板状になっていて、その張り出し先端部（補強リブ１６の外側端縁）は、図１（ａ）に示すように平面視にて、側壁１０の側壁先端部１２に対応する部分は直線状であり、そこから側壁本体部１３の背面側に向かって徐々に張り出し量を小さくして半円状となっている。なお、補強リブ１６の体積は、工具１Ａ全体として使用する材料を減らす観点から、肉抜き部１５として取り除かれる体積よりも小さい方が好ましい。
【００２４】
また、本実施形態において、嵌め合い凹部１４と補強リブ１６は、ともに側壁１０の下端縁にあわせて同一高さに設けられている。これにより、嵌め合い凹部１４の内側端縁から補強リブ１６の外側端縁までの幅を持つ、より幅の広い補強リブが形成されたとみなすことができる。
【００２５】
さらに、本実施形態において側壁先端部１２の外周面には、図１（ａ）、（ｂ）に示すように、少なくとも１本の縦リブ１７（図示の例では片側に６本）を設けている。これにより、キャップとともにこの工具を回転させるに当たって、この縦リブ１７を、指を掛ける部位を示す目印として機能させることができ、また、滑り止めとして機能させることもできる。さらに、縦リブ１７を設けた分、側壁先端部１２を撓みにくくすることができるので、側壁先端部１２の補強としても機能させることができる。
【００２６】
次に、本実施形態の工具１Ａを装着する吐出器及びこの吐出器を装着した容器について、図２を用いて説明する。図２において、符号２は内容物を収容する容器である。容器２は、内容物の収容空間Ｍにつながる口部２ａにねじ部２ｂを備えている。また、符号３は、ポンプ機構を備える吐出器である。吐出器３は、キャップ３ａのねじ部３ｂをねじ部２ｂに係合させて口部２ａに保持され、押圧ヘッド３ｃを繰り返し押圧することで、容器２の収容空間Ｍ内の液体を吸引、加圧してノズル３ｄから吐出させることができる。
【００２７】
また、キャップ３ａの下端には、工具１Ａの嵌め合い凹部１４に対応する嵌め合い凸部３ｅ（図示は省略するが、平面視にて正八角形となっている）を設けている。さらに、キャップ３ａの外側には、キャップ３ａを取り囲むとともに嵌め合い凸部３ｅを覆い隠す外キャップ３ｆを設けている。図２に示す例で外キャップ３ｆは、キャップ３ａの上部に設けられるリング部材３ｇにヒンジ３ｈを介して一体連結していて、リング部材３ｇの上部に設けられる保持部材３ｊによって、抜け止め保持されている。これにより外キャップ３ｆは、キャップ３ａに対して回転自在に保持され、また、ヒンジ３ｈの反転前の状態において嵌め合い凸部３ｅを覆い隠すことになるので、吐出器３の不正な取り外しが防止される。一方、外キャップ３ｆは、ヒンジ３ｈを反転させて嵌め合い凸部３ｅを露出させることができ、ここに工具１Ａの嵌め合い凹部１４を嵌め込むことで、キャップ３ａを回転させることが可能となる。
【００２８】
図３は、本実施形態の工具１Ａを、図２に示す吐出器付き容器に取り付けた状態を示す。工具１Ａは、外キャップ３ｆのヒンジ３ｈを反転させた状態で、キャップ３ａの側方から挿入して、嵌め合い凹部１４を嵌め合い凸部３ｅに嵌め合わせる。そして、縦リブ１７を設けた側壁先端部１２を両側から挟みつつ、工具１Ａを回転させることで、キャップ３ａも回転させることができ、吐出器３を容器２から取り外すことができる。なお、吐出器３を容器２へ取り付けるには、これと逆の手順を踏めばよい。
【００２９】
図４（ａ）〜（ｃ）は、本発明に従う吐出器用着脱工具の他の実施形態を示す。工具１Ｂは、工具１Ａから補強リブ１６を省略して縦リブ１７を長くしたものであり、他の部位については、工具１Ａと同一である。工具１Ａほど強度を高める必要がない場合は、工具１Ｂのように補強リブ１６を省くことで、材料使用量をより減らすことができる。
【産業上の利用可能性】
【００３０】
本発明によれば、不正な取り外しを防止する機能を備える吐出器を着脱するにあたって、吐出器を着脱する操作を損なうことなく、またコストをより下げることができる吐出器用着脱工具を提供できる。
【符号の説明】
【００３１】
１Ａ、１Ｂ  工具（吐出器用着脱工具）
２  容器
３  吐出器
３ａ  キャップ
３ｅ  嵌め合い凸部
１０  側壁
１１  側部開口
１２  側壁先端部
１３  側壁本体部
１４  嵌め合い凹部
１５  肉抜き部
１６  補強リブ
１７  縦リブ
【図１】
2014008982.tif 000003
【図２】
2014008982.tif 000004
【図３】
2014008982.tif 000005
【図４】
2014008982.tif 000006